(57)【要約】【課題】  姿勢角偏差による荷重点偏差を低減することで、高い荷重点位置精度を実現しながら、任意の高さのディンプルを実現する磁気ヘッド支持装置を実現する。【解決手段】  所望のディンプル１０２ｂの曲率半径ｒと基台１０２ａの高さを独立に実現できることから、任意に小さな曲率半径ｒと所望のディンプル１０２ｂの高さの設定が可能となる。これにより姿勢角偏差による荷重点位置ずれを小さくでき、安定した浮上特性を得ることが可能となる。【選択図】      図４ 
2005174521.tif 000002
【特許請求の範囲】
【請求項１】
磁気ディスク上を微小一定間隔で浮上する磁気ヘッドと、
前記磁気ヘッドを弾性支持するジンバルと、
前記ジンバルを支持するとともに、前記磁気ヘッドに負荷荷重を加えるロードビームと、
前記ロードビームより前記磁気ヘッド方向に設けたディンプルとを具備し、
前記ディンプルは所定の高さを有する基台上に形成したことを特徴とする磁気ヘッド支持装置。
【請求項２】
前記ディンプルは、前記基台に一体形成したものであることを特徴とする請求項１記載の磁気ヘッド支持装置。
【請求項３】
前記基台の少なくとも前記ディンプル境界の外形は、該ディンプルの曲率に沿った形状に形成したことを特徴とする請求項１記載の磁気ヘッド支持装置。
【請求項４】
前記基台は、前記ディンプルに至るまで漸次細く形成したことを特徴とする請求項１記載の磁気ヘッド支持装置。
【発明の詳細な説明】
【技術分野】
【０００１】
この発明は、高精度なスライダ荷重作用点コントロールを可能とした磁気ヘッド支持装置に関する。
【背景技術】
【０００２】
従来の磁気ディスク装置用のヘッドの支持機構は、サスペンションを構成するロードアームに半球状または半楕円球状のディンプルを形成しているが、スライダの姿勢角偏差による浮上量の偏差と、姿勢角偏差により発生する押し付け荷重位置の偏差による浮上量の偏差が発生する。これを低減するために前記両偏差を相殺するようにディンプルの径を設定しているものがある。（例えば、特許文献１）
【特許文献１】特開平８−４５２０８号公報（第３頁、図４〜６）
【発明の開示】
【発明が解決しようとする課題】
【０００３】
上記した特許文献１の技術は、スライダの姿勢角偏差による浮上量偏差感度ｈ、姿勢角の偏差による押し付け荷重位置の移動量ｙによる浮上量偏差感度ｆの組合せにより決まるディンプルの半径ｒが必ずしも実現可能な値とは限らず、実際に半径ｒが小さな値の場合、ジンバルとロードアーム（ロードビーム）との接触の可能性があり、設計上や製造上の問題を抱えていた。
【０００４】
この発明の目的は、姿勢角偏差による荷重点偏差を低減することで、高い荷重点位置精度を実現しながら、任意の高さのディンプルを実現する磁気ヘッド支持装置を提供することにある。
【課題を解決するための手段】
【０００５】
上記した課題を解決するために、この発明の磁気ヘッド支持装置は、磁気ディスク上を微小一定間隔で浮上する磁気ヘッドと、前記磁気ヘッドを弾性支持するジンバルと、前記ジンバルを支持するとともに、前記磁気ヘッドに負荷荷重を加えるロードビームと、前記ロードビームより前記磁気ヘッド方向に設けたディンプルとを具備し、前記ディンプルは所定の高さを有する基台上に形成したことを特徴とする。
【発明の効果】
【０００６】
この発明によれば、所望のディンプル曲率半径とディンプル高さ設定を独立して実現可能としたため、ジンバルとロードビームとの接触を防止することが可能となる。
【発明を実施するための最良の形態】
【０００７】
以下、この発明の実施例について、図面を参照しながら詳細に説明する。
【０００８】
ます、磁気ディスク装置について図１を参照しながら説明する。ＨＤＤ（Hard Disc Drive）は、上面が開口された矩形箱状のケース１２と、複数のネジ１１によりケースにネジ止めされて、ケースの上端開口を閉塞するトップカバー１４と、を有している。ケース１２はアルミ等の金属で形成され、その底壁は基台として機能している。
【０００９】
ケース１２内には、磁気記録媒体としての磁気ディスク１６、この磁気ディスクを支持および回転させるスピンドルモータ１８、磁気ディスクに対して情報の記録、再生を行う複数の磁気ヘッド、これらの磁気ヘッドを磁気ディスク１６に対して移動自在に支持した
キャリッジアッセンブリ２２、キャリッジアッセンブリを回動および位置決めするボイスコイルモータ２４、磁気ヘッドが磁気ディスクの最外周に移動したとき磁気ヘッドを磁気ディスク１６から離間した位置に保持するランプロード機構２５およびヘッドＩＣ等を有する基板ユニット２１が収納されている。
【００１０】
また、ケース１２の底壁外面には、基板ユニット２１を介してスピンドルモータ１８、ボイスコイルモータ２４および磁気ヘッドの動作を制御する図示しないプリント回路基板がネジ止めされている。
【００１１】
磁気ディスク１６は、例えば直径６５ｍｍ（２．５インチ）に形成され、その表面に磁気記録層を有している。また、磁気ディスク１６は、スピンドルモータ１８のハブに同軸的に嵌合されているとともにクランプばね１７によりクランプされ、所定の速度で回転駆動される。
【００１２】
キャリッジアッセンブリ２２は、ケース１２の底壁上に固定された軸受組立体２６と、この軸受組立体から延出したアーム３２と、アームに支持されたロードビーム３６と、を備えている。ロードビーム３６は、先端に固定された磁気ヘッド４０とヘッドタブ３８を備えている。また、キャリッジアッセンブリ２２は、軸受組立体２６からアーム３２と反対方向へ延出した支持フレーム４３を有し、この支持フレームにはボイスコイルモータ２４の一部を構成する図示しないボイスコイルが固定されている。
【００１３】
また、キャリッジアッセンブリ２２の支持フレーム４３に固定されたボイスコイルは、ケース１２の底壁上に固定された一対のヨーク４８間に位置し、これらのヨークおよび一方のヨークに固定された図示しない磁石とともに、ボイスコイルモータ２４を構成している。そして、ボイスコイルに通電することにより、キャリッジアッセンブリ２２が回動し、磁気ヘッド４０は所望のトラック上に移動および位置決めされる。なお、これらのキャリッジアッセンブリ２２およびボイスコイルモータ２４は、ヘッドアクチュエータとして機能する。
【００１４】
一方、基板ユニット２１は、メインフレキシブルプリント回路基板５４を有している。そして、プリント回路基板５４は、キャリッジアッセンブリ２２に取り付けられた延出端部５４ａと、ケース１２の底壁上に取り付けられた基端部５４ｂとを有している。延出端部５４ａは、アーム３２およびロードビーム３６に取り付けられた図示しない中継部フレキシブルプリント基板を介して磁気ヘッド４０に電気的に接続されている。
【００１５】
なお、プリント回路基板５４は、ポリイミド等の絶縁材からなるベースフィルム（ベース層）と、ベースフィルム上に形成された銅箔をパターニングすることにより構成された導体パターンと、導体パターンのパッド部を除いて、導体パターンおよびベースフィルム上を覆った絶縁材からなるカバー層と、を有している。
【００１６】
プリント回路基板５４の基端部５４ｂ上には、磁気ヘッド４０からの信号を増幅するヘッドＩＣ６０、ケース１２の外面側に設けられた図示しないプリント回路基板とプリント回路基板５４とを接続するためのコネクタ６２、および他の電子部品が実装されている。また、基端部５４ｂ上には、磁気ヘッド４０および磁気ディスク１６の周囲の温度として、ケース１２内部の温度を検出する温度センサ６４が実装されている。
【００１７】
次に、この発明の磁気ヘッド支持装置の一実施例について説明する。図２は、図１のキャリッジアッセンブリ２２のみを取り出して示した状態の斜視図である。磁気ディスク１６と対向する面である図３として示した図２の矢印Ａ方向付近から見た拡大正面図には、磁気ヘッド４０が配置されている。磁気ヘッド４０は、フレキシブルな状態で支持するジ
ンバル１０１を介してロードビーム３６に支持される。ジンバル１０１は、磁気ヘッドを浮動状態で支持するとともに、磁気ヘッド４０へ記録信号を供給したり、磁気ヘッド４０から再生信号を取り出したりする機能も備える。
【００１８】
さらに、ジンバル１０１は、図３を矢印Ｂ方向から見た図４の側面図に示すように、磁気ヘッド４０に一端を固定し途中からＶの字状に折り返された他端をロードビーム３６に固定している。これにより磁気ヘッド４０は、ジンバル１０１を介してロードビーム３６に固定されることになる。
【００１９】
ロードビーム３６と磁気ヘッド４０との間には、一端側をロードビーム３６に固定した基台１０２ａとこの基台の他端側に一体的に形成されたディンプル１０２ｂから構成される突起１０２が配置される。ディンプル１０２ｂは、図５に示すように曲率半径ｒを有する円弧部１０３から適切な接線１０４を引き、これを円弧部１０３の中心を通るロードビーム法線１０５を中心に回転させた円錐形状となっている。突起１０２の高さは、基台１０２ａの高さｈ１とディンプル１０２ｂの高さｈ２を合わせたものとなる。
【００２０】
ところで、図５に示すように、磁気ヘッド４０の中心とディンプル１０２ｂが姿勢角θ［ｒａｄ］を持つ場合のディンプル１０２ｂの荷重点位置ずれΔは、Δ＝ｒθだけずれることになる。この式からも明らかなように、荷重点位置ずれΔを小さくするには、ディンプル１０２ｂの半径ｒを極力小さい方が良い。半径ｒを小さくすると磁気ヘッド４０とロードビーム３６が接触してしまう弊害が生じる。
【００２１】
そこで、ディンプル１０２ｂの半径ｒを極力小さくし、磁気ヘッド４０とロードビーム３６の接触を防止するために、ディンプル１０２ｂにロードビーム３６からの高さを確保するための基台１０２ａを形成したものである。
【００２２】
ディンプル１０２ｂの半径ｒを極力小さくしても、ロードビーム３６からの高さを充分確保できる。このために、図６に示すように磁気ディスク１６面と対向するランプロード機構２５との間Ｇが数十μｍ〜数百μｍ程度しかない場合でも磁気ディスク１６の上下の振れに対して安定したロード／アンロード特性が実現可能となる。
【００２３】
また、図６に示すように、ディンプル１０２ｂの半径ｒを極力小さくしたとき、基台１０２ａを持たないものにおいては、ロード／アンロードのため磁気ディスク１６面と対向するランプロード機構２５との隙間を小さくする必要があるが、この場合、ランプロード機構２５とディスク１６との接触による不具合発生のリスクがある。基台１０２ａを持つディンプル１０２ｂを形成した場合においては、その曲率半径ｒを極力小さくしても、ロードビーム３６からの高さを充分確保できるため、磁気ディスク１６面と対向するランプロード機構２５との隙間に制約がない。
【００２４】
このように、姿勢角偏差による荷重点位置ずれを小さくできるとともに、安定した磁気ヘッドの浮上特性が期待できる。また、ディンプル１０２ｂの曲率半径とディンプル１０２ｂの高さは独立に設定可能なために、異常浮上を引き起こすジンバル１０１とロードビーム３６間の干渉を防止できる。
【００２５】
図７、図８はこの発明の磁気ヘッド支持装置の他の実施例について説明するための、図７は図４に相当する側面図、図８は図５に相当する側面図である。この実施例は、図中基台１０２ａの外形の形状をディンプル１０２ｂの曲率半径と同様の曲率形状１０６としたもので、各図と同一の構成部分には同一の符号を付して説明する。
【００２６】
すなわち、磁気ヘッド４０の姿勢角偏差がディンプル１０２ｂの部分から基台１０２ａ
の部分に移行した場合に、基台１０２ａの外形の形状をディンプル１０２ｂの曲率半径と同様の曲率形状１０６としたものであるために、急激な磁気ヘッド４０の姿勢角偏差を防止できる。
【００２７】
以上説明したように、ディンプルの曲率半径を所望の値に設定できることとディンプルの高さを独立に実現できるため、任意に小さな曲率半径ｒと所望のディンプル高さの設定が可能となる。このため姿勢角偏差による荷重点位置ずれを小さくでき、安定した浮上特性が期待できる。同時に、ディンプル高さに大きく影響されるジンバルとヘッドタブ設計に大きな自由度を与えることができる。また、実荷重点位置の特定自体も容易となる。
【図面の簡単な説明】
【００２８】
【図１】この発明の磁気ディスク装置について説明するための斜視図。
【図２】この発明の磁気ヘッド支持装置の一実施例について説明するための斜視図。
【図３】図２の矢印Ａ方向からの拡大して見た正面図。
【図４】図３の矢印Ｂ方向から見た側面図。
【図５】図４の主要部分の拡大側面図。
【図６】この発明の効果について説明するための側面図。
【図７】この発明の磁気ヘッド支持装置の他の実施例について説明するための側面図。
【図８】図７の主要部分の拡大側面図。
【符号の説明】
【００２９】
４０  磁気ヘッド
３６  ロードビーム
１０１  ジンバル
１０２  突起
１０２ａ  基台
１０２ｂ  ディンプル
１０６  曲率形状
【図１】
2005174521.tif 000003
【図２】
2005174521.tif 000004
【図３】
2005174521.tif 000005
【図４】
2005174521.tif 000006
【図５】
2005174521.tif 000007
【図６】
2005174521.tif 000008
【図７】
2005174521.tif 000009
【図８】
2005174521.tif 000010